(57)【特許請求の範囲】
【請求項１】
枠体にはペーパコアを充填してその両面には表面材を貼着した複数枚のパネルをボルト締めによって連結して成る大型ドアパネルにおいて、該パネル枠体の補強材同士をボルト締めした構造であり、一方のパネル補強材にはボルト又はナットを溶接し、他方のパネル枠体には他端部から接合部へ連通するパイプを設け、溶接した上記ボルト又はナットに螺合するナット又はボルトをパイプを通して締め付け可能な構造としていることを特徴とする大型ドアパネル。
【請求項２】
枠体にはペーパコアを充填してその両面には表面材を貼着した複数枚のパネルをボルト締めによって連結して成る大型ドアパネルにおいて、該パネル枠体の補強材同士をボルト締めした構造であり、一方のパネル補強材にはボルト又はナットを溶接し、他方のパネル枠体には他端部から接合部へ連通するパイプを設け、溶接した上記ボルト又はナットに螺合するナット又はボルトをパイプを通して締め付け可能な構造とし、更に両パネルの接合部には概略Ｈ型断面の繋ぎ部材を介在して両パネルの端部を側片の間に嵌入していることを特徴とする大型ドアパネル。
【請求項３】
枠体にはペーパコアを充填してその両面には表面材を貼着した複数枚のパネルをボルト締めによって連結して成る大型ドアパネルにおいて、該パネル枠体の補強材同士をボルト締めした構造であり、一方のパネル補強材にはボルト又はナットを溶接し、他方のパネル枠体には他端部から接合部へ連通するパイプを設け、溶接した上記ボルト又はナットに螺合するナット又はボルトをパイプを通して締め付け可能な構造とし、更に両パネルの接合部にはパネル厚さよりも小さな幅の目地材を介在し、連結したパネル表面には隙間を残したことを特徴とする大型ドアパネル。
【発明の詳細な説明】
【０００１】
【産業上の利用分野】
本発明は複数枚のパネルを連結して構成する大きなドアパネルに関するものである。ここでドアとは蝶番にて支持される開閉式ドア及び吊戸型式のドアも含める。
【０００２】
【従来の技術】
間口に装着されるドアには蝶番を介して開閉する型式のもの、又上レールに吊設して走行することで開閉するもの等がある。蝶番式の開閉ドアでは大きなドアパネルを使用することは少ないが、吊戸の場合には大きな間口に装着する為に１枚のパネルで構成することが出来ないケースがある。例えば、スチール板を表面材として貼着したパネルを用いる場合、幅寸法が１５５０ｍｍを越えると該表面材がなく、繋ぎ合わせたパネルとしなくてはならない。
【０００３】
図５は一般的な吊戸を表しているが、ドアパネル(イ) は上下に配置した２枚のパネル(ロ) 、(ロ) を連結して構成している。そしてドアパネル上端には吊車(ハ) 、(ハ) が取り付けされ、間口上部に設けている上レール（図示なし）に吊設されて移動することで該間口の開閉が出来る。同図の（ニ)は持ち手である。この吊戸は手で押し開いて自動的に閉じる半自動ドアとしたり、モータを使用した完全自動ドアとすることも出来るが、従来の大きなドアパネル(イ) では上下パネルの繋ぎ構造が外観を損なっている。
【０００４】
図６（ａ）、（ｂ）はパネル(ロ) 、(ロ) 間の連結構造を示している従来の具体例であり、前記図５のＡ−Ａ断面拡大図である。（ａ）の場合はフレームの中桟(ホ) に上下パネル(ロ) 、(ロ) の止着片(ホ) 、(ホ) をジョイント目地(ト) を嵌入してネジ止めしている。勿論、ジョイント目地(ト) 及びネジ頭をカバーする為に目地空間には目地カバー(チ) を嵌め込んでいる。このように上下パネル(ロ) 、(ロ) 間に目地カバー(チ) が介在することでドアパネル(イ) の外観は悪く、しかもフレームにパネル(ロ) 、(ロ) を取り付けする構造である為に、製造コストも高くなる。
【０００５】
（ｂ）は上下パネル(ロ) 、(ロ) を互いに突き合わせて繋ぎ、両パネル(ロ) 、(ロ) 間には連結板(リ) を当がってパネル補強材(ヌ) 、(ヌ) にネジ止めしている。この連結形態は構造的には簡単であるが、ネジ止めされた上記連結板(リ) がパネル繋ぎ部の表面に露出することから外観が大きく損なわれてしまう。
【０００６】
【本発明が解決しようとする課題】
このようにドアパネルが大きくなる場合にパネルの連結構造には上記のごとき問題がある。本発明が解決しようとする課題はこの問題点であって、連結されたパネル間の繋ぎ部に不揃いが発生することなく、また連結構造が簡単で外観を損なうことのない大型ドアパネルを提供する。
【０００７】
【課題を解決するための手段】
本発明の大型ドアパネルは２枚又は３枚のパネルを連結して構成されるドアパネルであり、連結手段としてボルトを用いる。パネルの配列方向は上下方向であっても左右方向であってもよく、上記パネル接合部にはボルトが取付けられて両パネルを締め付け・連結して大型のパネルとなる。パネルには補強材が設けられており、互いに突き合わされて補強材同士がボルト締めされることになる。
【０００８】
ここで、ボルト又はナットの何れかが補強材に前以て溶接されている。そして他方の枠体にはパイプが固定され、該パイプ穴を通してネジ締めすることが出来るように成っている。ボルト又はナットが溶接されている一方の枠体には上記パイプは設けられておらず、これら各枠体内にはペーパコアが充填されて両面には表面材が貼着されている。
【０００９】
又、本発明ではパネル間の繋ぎ部外観が損なわれないようにする為に、繋ぎ部材を介在したり、目地を取り付けする等の工夫がなされている。すなわち、パネルに貼り付けする表面材が表側と裏側とで多少位置ズレしている際には、連結したパネル接合部に隙間が残ってしまうことになるが、この隙間が外観に現れないようにカバーする連結構造としている。以下、本発明に係る実施例を図面に基づいて詳細に説明する。
【００１０】
【実施例】
図１はドアパネル１の縦断面を表している実施例であり、２枚のパネル２ａ、２ｂが上下に配置されて互いに連結している。パネル２は周囲に補強材と成るフレームを有すと共に、該フレーム内にはペーパコア３を収容して表面材４、４を両面に貼り合わせている。そして両パネル２ａ、２ｂはボルト５とナット６によって締め付けられて大きなドアパネル１と成り、上端にはレールに吊設するための吊具が、また下端にはガイド溝７が形成され、このガイド溝７には床面から起立している振れ止め具８が嵌っている。
【００１１】
両パネル２ａ、２ｂは上記ボルトにて締め付けられるが、パネル上下端に設けている補強材９ａ、９ｂを互いにボルト締めしている。ところで、両パネル２ａ、２ｂをボルト締めする場合、ボルト５を前以て補強材９ａに溶接し、一方のナット６を下側パネル２ｂの下端から挿入してボルトに螺合し、締め付けする。従って、パネル２ｂには下端から補強材９ｂにかけて通し穴を設けている。
【００１２】
図２は両パネルをボルト締めして連結する場合を示しているが、分かり易くする為に枠体の状態を表している。実際には長方形の枠体１０ａ、１０ｂ内にはペーパコア３が充填されて両面には表面材４、４が貼着されてパネル２ａ、２ｂとなっている。一方の枠体１０ａの下補強材９ａにはボルト５、５…が溶接されて下方へ延び、他方の枠体１０ｂの上補強材９ｂには通し穴を設けてボルト５、５…を挿通し、枠体１０ｂの下端からナット６、６…を挿入して螺合することが出来る。
【００１３】
下側の枠体１０ｂは同図に示しているように、縦方向にパイプ１１、１１…が取付けられ、上記ナット６、６…はパイプ１１、１１…の空間を通ってボルト５、５…の位置まで運ばれ、該ボルト５、５…に螺合する。この際、該ナット６はパネル高さ以上の長さをした治具１２の先端ソケットに嵌められて回され、ボルト５に螺合することが出来る。枠体１０ｂにはこのようにパイプ１１、１１…が設けられている為に、ペーパコア３は残りのスペース空間に充填される。
【００１４】
前記図１はこのようにしてパネル２ａ、２ｂを連結した大きなドアパネル１であるが、枠体１０ａ、１０ｂの両面に貼着する表面材４、４…が正しく位置決めされない場合には、両パネル２ａ、２ｂ間の繋ぎ部に隙間が出来る等して、外観が損なわれる。図３は表面材４、４の貼着ズレによって連結したパネル２ａ、２ｂ間に隙間１３が発生している場合であり、繋ぎ部の外観が損なわれるだけでなく、連結状態も安定しない。
【００１５】
そこで、この隙間１３によって外観が損なわれることなく、しかも安定した連結がなされるように、図４（ａ）、（ｂ）に示す連結構造とすることが出来る。（ａ）は繋ぎ部材１４を両パネル２ａ、２ｂ間に介在してボルト締めしているが、繋ぎ部材１４はＨ型断面をしており、パネル２ａ、２ｂの上下端は両側片１５、１５間に嵌っている。隙間が介在することで両補強材９ａ、９ｂは強力に締め付けられることはないが、両側片１５、１５間に嵌っているパネル２ａ、２ｂの上下端部は隙間１３をカバーし、位置ズレなく連結することになる。
【００１６】
（ｂ）は両パネル間に目地材１６を介在して連結している場合を示しているが、目地材１６の幅はパネル厚さよりも小さくてパネル表面から後退して隙間１７を形成している。位置ズレして補強材９ａから突出して貼着された表面材４の縁１８は、ネジ締めされることで目地材１６に当たって曲げられ、両パネル２ａ、２ｂの補強材９ａ、９ｂ同士は強固に締め付けられる。そして、両パネル２ａ、２ｂ間に目地材１６を介在して隙間１７を残している為に、繋ぎ部に僅かな位置ズレが生じたとしても目立たなく、外観が損なわれない。
【００１７】
この実施例では上下２枚のパネル２ａ、２ｂを連結してドアパネル１を構成する場合を説明したが、３枚を連結する場合も同じである。一方、上下に限らず左右に配列して連結することも出来る。この場合も連結部の構造は実施例で説明したようにボルトを用いて締め付けられる。以上述べたように、本発明の大型ドアパネルは複数枚のパネルを連結して構成したもので、この場合のパネル連結手段としてボルトを用いており、次のような効果を得ることが出来る。
【００１８】
【発明の効果】
本発明のドアパネルは複数枚のパネルを連結して構成することで、大きなドアパネルとすることが可能である。そしてパネルはボルトを介して連結する構造と成っている為にその構造は簡単であって、しかも強固に連結されたドアパネルと成る。この場合、パネルにはボルト締めがなされるように枠体を備えると共に、片方のパネル枠体にはパネル接合部に通じるパイプを設けている為に、治具を介してボルト締めを行うことが出来る。更に、両パネル間に繋ぎ部材を介在したり、目地材を介在して連結することで、表面材の貼着ズレが生じても連結部の外観が損なわれることはない。
【図面の簡単な説明】
【図１】本発明に係る大型ドアパネルの断面を示す実施例。
【図２】両パネルをネジ締めによって連結することが出来る本発明のパネル枠体構造。
【図３】表面材の貼着ズレによって両パネル間に隙間が生じる場合。
【図４】両パネル間の隙間をカバーする為のパネル連結構造。
【図５】２枚のパネルを繋ぎ合わせた大型ドアパネル。
【図６】従来における両パネルの連結構造。
【符号の説明】
１  ドアパネル
２  パネル
３  ペーパコア
４  表面材
５  ボルト
６  ナット
７  ガイド溝
８  振れ止め具
９  補強材
10  枠体
11  パイプ
12  治具
13  隙間
14  繋ぎ部材
15  側片
16  目地材
17  隙間
18  縁
【図１】
0003752566.tif 000002
【図２】
0003752566.tif 000003
【図３】
0003752566.tif 000004
【図４】
0003752566.tif 000005
【図５】
0003752566.tif 000006
【図６】
0003752566.tif 000007